(57)【要約】【課題】スナップイン係合部を備えた押圧型スイッチを小型化できる上に、キートップのスムーズな上下動を確保して、良好な操作性を維持することができるように構成した押圧型スイッチを提供する。【解決手段】取付部材５０と、取付部材５０上に設置されたスイッチパターン３８と反転板２０とで構成されたスイッチと、このスイッチを押圧するキートップ１０と、キートップ１０に設けた弾性を有する係合片１４，１４と取付部材５０に設けた係合片１４，１４がスナップイン係合する被係合部５１−１，５１−２とからなるスナップイン係合部とを備えた押圧型スイッチ１において、スナップイン係合部の一方の被係合部５１−２を、取付部材５０の端辺５３を切り欠いてなる切欠部として形成すると共に、取付部材５０とキートップ１０の間に、キートップ１０の上下動をガイドするガイド部６１を設けた。【選択図】図１
2008152962.tif 000002
【特許請求の範囲】
【請求項１】
取付部材と、前記取付部材上に設置されたスイッチと、前記スイッチを押圧するキートップと、前記キートップに設けた弾性を有する係合片と前記取付部材に設けた前記係合片がスナップイン係合する被係合部とからなるスナップイン係合部と、を備えた押圧型スイッチにおいて、
前記スナップイン係合部の被係合部が前記取付部材の端辺に設けられていると共に、
前記取付部材と前記キートップの間に、前記キートップの移動をガイドするガイド部を設けたことを特徴とする押圧型スイッチ。
【請求項２】
請求項１に記載の押圧型スイッチにおいて、
前記取付部材の端辺に形成されている前記被係合部は、該端辺を切り欠いてなる切欠部であることを特徴とする押圧型スイッチ。
【請求項３】
請求項２に記載の押圧型スイッチにおいて、
前記スナップイン係合部が少なくとも二組設けられており、そのうちの少なくとも一組が備える前記被係合部が前記切欠部であり、他の一組が備える前記被係合部が前記取付部材に設けた開口部であることを特徴とする押圧型スイッチ。
【請求項４】
請求項１乃至３のいずれか１項に記載の押圧型スイッチにおいて、
前記ガイド部は、前記キートップを押圧する際にこのキートップを所定位置で停止させるキートップ停止部を備えていることを特徴とする押圧型スイッチ。
【発明の詳細な説明】
【技術分野】
【０００１】
本発明は、押圧型スイッチに関するものである。
【背景技術】
【０００２】
従来、取付部材と、この取付部材上に設置されその上面に反転板を取り付けたスイッチと、このスイッチ上に配置したキートップとを備えた押圧型スイッチがある（特許文献１）。そして、この種の押圧型スイッチには、キートップと取付部材のいずれか一方に弾性を有する係合片を形成すると共に、キートップと取付部材のいずれか他方にこの係合片が係合する被係合部を設けることで、これら係合片と被係合部とによって、キートップを取付部材にスナップイン係合させて上下動可能に保持するスナップイン係合部を構成したものがある。このような押圧型スイッチでは、キートップを押圧すると、反転板が反転してスイッチがオンするようになっている。
【特許文献１】特開２００２−９３２８７号公報
【発明の開示】
【発明が解決しようとする課題】
【０００３】
ところで、近年の電子機器の小型化により、上記のようなスナップイン係合部を設けた押圧型スイッチにもさらなる小型化が求められている。一方で、スナップイン係合部を設けた押圧型スイッチを小型化する場合においても、キートップのスムーズな上下動を確保して、その良好な操作性を維持することが必要である。
【０００４】
本発明は上述の点に鑑みてなされたものでありその目的は、スナップイン係合部を備えた押圧型スイッチの小型化を図りながらも、キートップのスムーズな上下動を確保して、良好な操作性を維持できるように構成した押圧型スイッチを提供することにある。
【課題を解決するための手段】
【０００５】
上記課題を解決するため本願の請求項１に記載の発明は、取付部材と、前記取付部材上に設置されたスイッチと、前記スイッチを押圧するキートップと、前記キートップに設けた弾性を有する係合片と前記取付部材に設けた前記係合片がスナップイン係合する被係合部とからなるスナップイン係合部と、を備えた押圧型スイッチにおいて、前記スナップイン係合部の被係合部が前記取付部材の端辺に設けられていると共に、前記取付部材と前記キートップの間に、前記キートップの移動をガイドするガイド部を設けたことを特徴とする。
【０００６】
本願の請求項２に記載の発明は、請求項１に記載の押圧型スイッチにおいて、前記取付部材の端辺に形成されている前記被係合部は、該端辺を切り欠いてなる切欠部であることを特徴とする。
【０００７】
本願の請求項３に記載の発明は、請求項２に記載の押圧型スイッチにおいて、前記スナップイン係合部が少なくとも二組設けられており、そのうちの少なくとも一組が備える前記被係合部が前記切欠部であり、他の一組が備える前記被係合部が前記取付部材に設けた開口部であることを特徴とする。
【０００８】
本願の請求項４に記載の発明は、請求項１乃至３のいずれか１項に記載の押圧型スイッチにおいて、前記ガイド部は、前記キートップを押圧する際にこのキートップを所定位置で停止させるキートップ停止部を備えていることを特徴とする。
【発明の効果】
【０００９】
本願の請求項１に記載の発明によれば、押圧型スイッチにおいて、被係合部を取付部材の端辺に設けていることで、スナップイン係合部を設けた押圧型スイッチを従来よりも小型化することができる。またその上で、キートップの移動をガイドするガイド部を設けたことで、上記のように被係合部を取付部材の端辺に設けていても、キートップのスムーズな上下動を確保でき、良好な操作性を維持することができるようになる。
【００１０】
本願の請求項２に記載の発明によれば、取付部材の端辺に形成されている被係合部は、該端辺を切り欠いてなる切欠部なので、キートップが上下動する際に係合片がこの切欠部でガイドされるようになるので、キートップの上下動がさらにスムーズになる。
【００１１】
本願の請求項３に記載の発明によれば、スナップイン係合部が少なくとも二組設けられており、そのうちの少なくとも一組が備える被係合部が切欠部であり、他の一組が備える被係合部が取付部材に設けた開口部なので、スナップイン係合部を設けた押圧型スイッチを従来よりも小型化しながらも、良好な操作性を維持することができるようになる。
【００１２】
本願の請求項４に記載の発明によれば、ガイド部は、キートップを押圧する際にこのキートップを所定位置で停止させるキートップ停止部を備えているので、簡単な構成で、キートップを押圧する際にキートップを押し下げ過ぎることを防止できるようになる。
【発明を実施するための最良の形態】
【００１３】
以下、本発明の実施形態を図面に基づいて詳細に説明する。図１は、本発明の一実施形態にかかる押圧型スイッチ１を上側から見た分解斜視図である。また、図２は、組み立てた押圧型スイッチ１の概略側断面図である。これらの図に示すように、押圧型スイッチ１は、キートップ１０と、反転板２０と、フレキシブルスイッチ基板３０と、取付部材５０とを備えて構成されている。以下、押圧型スイッチ１の各構成部品について説明する。
【００１４】
キートップ１０は、合成樹脂の成型品で、略矩形の平板形状に形成された本体部１１を備え、該本体部１１の上面の略中央には、上方に突出する突起状の操作部１２を設け、本体部１１の下面の略中央には、下方に向かって突出する突起状の押圧部１３を設けている。また、本体部１１の対向する両角部１１ａ，１１ａには、弾性を有する係合片１４,１４が設けられている。両係合片１４，１４はいずれも同形状で、本体部１１の角部１１ａを直線状に切り取った部分から本体部１１の下面側に向かって垂直に延びる可撓性を有する平板状の腕部１４ａと、該腕部１４ａの下端に形成した本体部１１の中心側（内側）に向かって略水平に突出する突起状の爪部１４ｂとを備えて構成されている。また、爪部１４ｂの先端面１４ｃは、その下端から上端に向かうにつれて本体部１１の中心部に近づく方向に傾斜する傾斜平面状に形成されている。また、本体部１１の他の対向する両角部１１ｂ，１１ｂの近傍には、円形の貫通孔からなる挿通部１５，１５が設けられている。両挿通部１５は、下記する取付部材５０に設けた突出部５２の軸部５２ｂを挿通するもので、その内径寸法は、軸部５２ｂを上下動自在に挿通できるように、軸部５２ｂの外径寸法よりも僅かに大きな寸法であって、且つ、挿通部１５の下面外周が突出部５２の段部５２ｃに当接して係止されるように、突出部５２の基部５２ａの外径寸法よりも小さな径寸法に形成されている。
【００１５】
フレキシブルスイッチ基板３０は、可撓性を有する合成樹脂フイルム（ポリエチレンテレフタレートフイルム〔ＰＥＴフイルム〕等）で構成された薄板状の部材であり、キートップ１０の本体部１１の外形と略同一形状の基板部３１と、該基板部３１に対してその左右を反転させた形状を備える基板部３２と、これら基板部３１と基板部３２の隣接する端辺同士を連結する帯状の連結部３３とを備えて一体に構成されている。また、基板部３１の他の端辺からは、図示しない他の回路に接続される引出部３１ａが引き出されている。このフレキシブルスイッチ基板３０は、連結部３３を折り返すことで、基板部３１の上に基板部３２を重ね合わせるようになっている。なお図１では、フレキシブルスイッチ基板３０を展開した状態を示している。
【００１６】
そして、重ね合わせた際に向かい合う基板部３１の上面と基板部３２の上面の互いに対向する位置には、導電ペーストを印刷形成することで形成された接点パターン３４，３５が設けられている。さらに両基板部３１，３２の接点パターン３４，３５の外側には、接点パターン３４，３５を囲むように接点パターン３４，３５の厚さより厚い絶縁塗料を印刷形成したスペーサ層３６，３７が設けられている。これにより、基板部３１の上に基板部３２を重ね合わせた際に、スペーサ層３６，３７によって接点パターン３４，３５が所定の間隔を有して上下に配置され、スイッチパターン部３８（図２参照）が形成されるようになっている。一方、基板部３１と基板部３２の下記する取付部材５０の突出部５２に対応する位置には、それぞれ円形の貫通穴からなる挿通部３９，４０が設けられている。挿通部３９，４０の内径寸法は、下記する突出部５２の基部５２ａの外径寸法と略同一の寸法かそれよりも僅かに大きな寸法に形成されている。
【００１７】
反転板２０は、基板部３１の上に基板部３２を重ね合わせた状態で、上側の基板部３２の上面（重ね合わせた際に上を向く面）に載置されるドーム形状に形成された弾性金属板である。この反転板２０は、押圧することで反転し、その際にクリック感覚を生じると共に、反転した状態で反転力（反転復帰力）を生じるものである。なおここでいう反転力とは、反転板２０の中央部が押圧されている状態で、反転板２０の弾性力で該中央部が上昇して元の形状に戻ろうとする力である。上記の基板部３１，３２に設けたスイッチパターン部３８とこの反転板２０とで、スイッチ４５（図２参照）が構成されている。
【００１８】
取付部材５０は、合成樹脂板や金属板等の硬質板からなる平板状の部材で、キートップ１０の本体部１１の外形と略同一形状の略矩形状に形成され、キートップ１０の一方の係合片１４に対応する角部５０ａ−１には、係合片１４を係合させる被係合部５１−１が設けられている。この被係合部５１−１は、係合片１４の爪部１４ｂの外形寸法よりも僅かに大きな内形寸法を有する矩形の開口部からなり、その下面（取付部材５０の下面）の内側の辺（取付部材５０の中心側の辺）に係合片１４の爪部１４ｂを係合させるようになっている。
【００１９】
また、この取付部材５０におけるキートップ１０の他方の係合片１４に対応する角部５０ａ−２には、係合片１４を係合させる被係合部５１−２が設けられている。この被係合部５１−２は、取付部材５０の角部５０ａ−２を直線状に切り取った端辺５３を、係合片１４の爪部１４ｂの外形寸法よりも僅かに大きな内形寸法を有する矩形の凹部状に切り欠いて形成した切欠部からなり、その下面（取付部材５０の下面）の内側の辺（取付部材５０の中心側の辺）に係合片１４の爪部１４ｂを係合させるようになっている。上記のキートップ１０に設けた係合片１４，１４と、取付部材５０に設けた被係合部５１−１，５１−２とで、キートップ１０を取付部材５０にスナップイン係合させるスナップイン係合部６０（図２参照）が構成されている。
【００２０】
また、この取付部材５０におけるキートップ１０の挿通部１５，１５に対応する角部５０ｂ，５０ｂの近傍の上面には、突出部５２，５２が設けられている。両突出部５２はいずれも同形状で、取付部材５０の上面に垂直に立設された円柱状の基部５２ａと、該基部５２ａの上端から垂直上方に突出する基部５２ａよりもその外径が小さい円柱状の軸部５２ｂとを一体に備えてなる軸状部分で、基部５２ａと軸部５２ｂの接続部分には、段部５２ｃが形成されている。この突出部５２の軸部５２ｂと、上記のキートップ１０に設けた挿通部１５とで、キートップ１０の上下移動をガイドするガイド部６１（図２参照）が構成されている。また、この突出部５２の段部５２ｃと、該段部５２ｃに当接するキートップ１０の挿通部１５の下面外周とで、キートップ１０を押圧する際に該キートップ１０を所定位置で停止させるキートップ停止部６２（図２参照）が構成されている。
【００２１】
次に、押圧型スイッチ１の組み立て手順を説明する。まず、フレキシブルスイッチ基板３０の連結部３３を折り返して、基板部３１の上に基板部３２を重ね合わせる。その状態で、基板部３２の上に反転板２０を載置して取り付ける。そして、このフレキシブルスイッチ基板３０を取付部材５０上に載置する。その際、基板部３１と基板部３２に設けた挿通部３９，３９と挿通部４０，４０とに、取付部材５０の突出部５２，５２の基部５２ａ，５２ａを挿通させて、突出部５２，５２をフレキシブルスイッチ基板３０の基板部３２の上に突出させる。そして、このフレキシブルスイッチ基板３０と反転板２０の上からキートップ１０を取り付ける。その際、取付部材５０の突出部５２，５２の軸部５２ｂ，５２ｂをキートップ１０の挿通部１５，１５に挿通し、係合片１４，１４を被係合部５１−１，５１−２の位置に合わせ、キートップ１０の押圧部１３を反転板２０の上面中央に当接させる。すると、キートップ１０の挿通部１５，１５が軸部５２ｂ，５２ｂで案内されてキートップ１０が真下方向に下降し、係合片１４，１４の爪部１４ｂ，１４ｂの先端面１４ｃ，１４ｃが、被係合部５１−１，５１−２の内側の辺に弾接して、腕部１４ａ，１４ａが両外側に撓むことで、爪部１４ｂ，１４ｂが被係合部５１−１，５１−２を乗り越える。これにより、爪部１４ｂ，１４ｂが被係合部５１−１，５１−２の下面に係合し、キートップ１０と取付部材５０がスナップイン係合で一体に取り付けられる。このとき、反転板２０の上面の中央に載置されたキートップ１０の押圧部１３が、反転板２０の反転力で上方に付勢されており、キートップ１０の爪部１４ｂ，１４ｂが被係合部５１−１，５１−２の下面に当接する位置にキートップ１０が持ち上げられた状態になっている。以上により、押圧型スイッチ１の組み立てが完了する。
【００２２】
組み立てた押圧型スイッチ１は、図２に示すように、取付部材５０と、該取付部材５０上に設置されその上面に反転板２０が取り付けられたスイッチ４５と、反転板２０を押圧して反転することでスイッチ４５を押圧するキートップ１０と、キートップ１０の係合片１４，１４と取付部材５０の被係合部５１−１，５１−２とで構成されたスナップイン係合部６０と、取付部材５０とキートップ１０の間に設けられキートップ１０の移動をガイドするガイド部６１と、を備えている。また、ガイド部６１は、キートップ１０を押圧する際にこのキートップ１０を所定位置で停止させるキートップ停止部６２を備えている。
【００２３】
次に、上記構成の押圧型スイッチ１の動作を説明する。図３は、押圧型スイッチ１の動作を説明するための図である。まず、図２に示す状態からキートップ１０の操作部１２を押し下げると、図３に示すように、押圧部１３が反転板２０を押圧してこれを反転させる。これによりクリック感覚が生じると共に、反転板２０の反転によって該反転板２０の中央部が基板部３２の上面に当接し、基板部３２が上から押圧されることで、接点パターン３５が接点パターン３４に当接してスイッチ４５がオンする。またこのとき、押圧されて下降するキートップ１０は、ガイド部６１によって、挿通部１５，１５が突出部５２，５２の軸部５２ｂ，５２ｂで案内されながら下降する。そして、スイッチ４５がオンする位置までキートップ１０が下降すると、キートップ停止部６２によって、挿通部１５，１５の下面外周が突出部５２，５２の段部５２ｃ，５２ｃに当接して、キートップ１０が停止する。したがって、キートップ１０を押圧する際に、スイッチ４５がオンした状態からキートップ１０を押し下げ過ぎることを防止できる。また、図３に示すように、キートップ１０を押し下げた際には、係合片１４，１４の爪部１４ｂ，１４ｂが、被係合部５１−１，５１−２の下面からその下方に離間した状態になっている。一方で、キートップ１０の操作部１２を押し下げている力を解除すると、反転板２０の反転力でキートップ１０が上方に持ち上げられて、スイッチ４５がオフする。その後、キートップ１０は、係合片１４，１４の爪部１４ｂ，１４ｂが被係合部５１−１，５１−２の下面に当接する位置まで持ち上げられて、その位置で停止する。
【００２４】
上記したように本実施形態の押圧型スイッチ１では、係合片１４と被係合部５１−１の組と係合片１４と被係合片５１−２の組とからなる二組のスナップイン係合部６０のうち、一方の組のスナップイン係合部６０が備える被係合部５１−２を、取付部材５０の端辺５３に設けている。これにより、スナップイン係合部６０を設けた押圧型スイッチ１の外形寸法の小型化、特に、取付部材５０の外形寸法の小型化を図ることができるようになる。また、上記のように被係合部５１−２を取付部材５０の端辺５３に設けたことによって、スナップイン係合部６０だけではキートップ１０の上下動が十分に安定しないおそれがあるが、本実施形態の押圧型スイッチ１では、上記構成のスナップイン係合部６０に加えてキートップ１０の移動をガイドするガイド部６１を設けていることで、キートップ１０のスムーズな上下動を確保でき、その良好な操作性を維持することができる。
【００２５】
さらに本実施形態の押圧型スイッチ１では、取付部材５０の端辺５３に形成されている被係合部５１−２が、この端辺５３を係合片１４の腕部１４ａの外形に沿う矩形状に切り欠いてなる切欠部なので、キートップ１０が上下動する際に、係合片１４が被係合部５１−２でガイドされるようになり、キートップ１０の上下動がさらにスムーズになる。また、ガイド部６１は、キートップ１０を押圧する際に該キートップ１０を所定位置で停止させるキートップ停止部６２を備えているので、簡単な構成で、キートップ１０を押圧する際に、キートップ１０を押し下げ過ぎることを防止できる。したがって、押圧型スイッチ１の操作性を良好にできると共に、スイッチ４５の耐久性を向上させることができる。
【００２６】
ここで、押圧型スイッチ１の他の構成例について説明する。図４は、図１に示す押圧型スイッチ１において、一方の係合片１４と被係合部５１−１とからなる片方のスナップイン係合部６０を省略したものである。また図５は、図１に示す押圧型スイッチ１において、被係合部５１−１の形状を変更した構成例を示す図である。同図に示す押圧型スイッチ１の被係合部５１−１は、取付部材５０の端辺５３を矩形の凹部状に切り欠いて形成した切欠部とすることで、他方の被係合部５１−２と同じ形状にしたものである。即ち、図５に示す構成例では、被係合部５１−１と被係合部５１−２の両方を共に取付部材５０の端辺５３に設けている。また、図示は省略するが、図１に示す押圧型スイッチ１において、被係合部５１−２の切欠部を省略して、そのまま端辺５３に係合片１４の爪部１４ｂを係合させるように被係合部５１−２を構成することも可能である。
【００２７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、上記実施形態で示したスナップイン係合部６０が備える係合片１４及び被係合部５１−１，５１−２の形状や数や配置、及びガイド部６１が備える突出部５２と挿通部１５の形状や数や配置などはいずれも一例であり、これらは上記実施形態に示す以外の形状や数や配置であっても良い。
【００２８】
また、上記の実施形態では、スイッチ４５の構造を、二枚の基板部３１，３２に設けた一対の接点パターン３４，３５を所定の間隔を介して対向させてなる構造のスイッチパターン部３８を備えたスイッチとしているが、本発明の押圧型スイッチが備えるスイッチの構造としては、それ以外にも、図示は省略するが、基板部の表面に接点パターンを設け、その外周に接続パターンを設けると共に、接続パターンにその外周辺が接触するようにドーム形状の弾性金属板からなる反転板を載置してなる構造のスイッチとすることもできる。その場合、反転板の反転によって該反転板の中央部が接点パターンに接触することで、接点パターンと接続パターンが導通してスイッチがオンする。また、上記実施形態のスイッチ４５では、反転板２０を省略し、スイッチパターン部３８だけでスイッチ４５を構成することも可能である。
【図面の簡単な説明】
【００２９】
【図１】本発明の一実施形態にかかる押圧型スイッチ１の分解斜視図である。
【図２】押圧型スイッチ１の概略側断面図である。
【図３】押圧型スイッチ１の動作を説明するための図である。
【図４】図１に示す押圧型スイッチ１において、一方の係合片１４と被係合部５１−１の組を省略した構成例を示す図である。
【図５】図１に示す押圧型スイッチ１において、被係合部５１−１の形状を変更した構成例を示す図である。
【符号の説明】
【００３０】
１            押圧型スイッチ
１０          キートップ
１１          本体部
１２          操作部
１３          押圧部
１４          係合片（スナップイン係合部）
１４ａ        腕部
１４ｂ        爪部
１４ｃ        先端面
１５          挿通部（ガイド部）
２０          反転板
３０          フレキシブルスイッチ基板
３１，３２    基板部
３３          連結部
３４，３５    接点パターン
３６，３７    スペーサ層
３８          スイッチパターン部
３９，４０    挿通部
４５          スイッチ
５０          取付部材
５１−１      被係合部（スナップイン係合部）
５１−２      被係合部（スナップイン係合部）
５２          突出部（ガイド部）
５２ａ        基部
５２ｂ        軸部
５２ｃ        段部（キートップ停止部）
５３          端辺
６０          スナップイン係合部
６１          ガイド部
６２          キートップ停止部
【図１】
2008152962.tif 000003
【図２】
2008152962.tif 000004
【図３】
2008152962.tif 000005
【図４】
2008152962.tif 000006
【図５】
2008152962.tif 000007